(57)【要約】【課題】  既存の野球やソフトボール競技用の小型のスコアボードがあまり普及しなかった問題点を改め、更に小型、軽量で、子供でも持ち運び易く、分解や組立も簡単で、子供でも容易に操作できる、移動、運搬可能なスコアボードを安価で提供することを目的とする。【解決手段】スコア掲示盤と、スコアプレート類を収納するロッカーボックスと、スコア掲示盤を保持するスタンドからなり、スコアの掲示は、数字やマークなどのプレートを両面着磁（通常片面）のマグネットを用いて簡単に着脱できるように工夫。スコア掲示盤とスタンドを子供でも持ち運び易いように小型、軽量化し、車両などで運搬する場合でも簡単に２つに分離でき、また組立も簡単にできるようにした。【選択図】  図１
2005137624.tif 000002
【特許請求の範囲】
【請求項１】
野球およびソフトボール競技に使用するスコア掲示盤と、これを保持するスタンドから
なり、スコア掲示盤表面には競技経過回数、攻撃の表、裏、投球カウントのストライク
とボール、アウトカウント、対戦する両チーム名、両チームの競技中の合計得点が、予
め数字を書き込まれた両面着磁のマグネットを用いて装着可能としたプレートが設けら
れた野球およびソフトボール競技用スコア掲示盤。
【請求項２】
請求項１記載の野球およびソフトボール競技用スコア掲示盤において、スコア掲示盤裏
面には競技両チームの毎回の得点を手書きで記録するスコア記録表を設けた野球および
ソフトボール競技用スコア掲示盤。
【請求項３】
請求項１又は２記載の野球およびソフトボール競技用スコア掲示盤において、前記スコ
ア掲示盤を保持するスタンドは、先部にネジ穴を有し、基部がスタンド基盤上部に固着
されたパイプと、前記スタンド基盤下部にはキャスターが固着され、前記スタンド基盤
には複数のペグ打込穴が設けられており、前記スコア掲示盤の底部に取り付けられた補
強部材に設けた貫通孔を介してボルトにより前記スタンドのパイプ先部のネジ穴に着脱
自在に取り付ける野球およびソフトボール競技用スコア掲示盤。    
【発明の詳細な説明】
【技術分野】
【０００１】
本発明は野球やソフトボール競技のスコア掲示に関し、スコアボードのない場所で容易に設置でき、簡単にスコアを掲示できる野球およびソフトボール競技用スコア掲示盤。   
【背景技術】
【０００２】
野球やソフトボール競技を行う場合、公式の野球場などではスコアボードが設置されているが、それ以外の学校の運動場や、多目的公共のグラウンドなどには、ほとんどスコアボードの設備がない。
そのためにスコアボードなしで競技している現状である
【０００３】
また、ごく一部のチームが市販のホワイトボードや黒板を利用している現状のため、応援の父兄や観衆にはスコアが不明であり、また競技している選手たちでさえスコアを正確に認識できていないことがある。
【０００４】
従来のスコアボードには、スコア数字板等をマジツクテープを用いて掲示し、手提鞄状
のスコア板を開いて使用するものがある。（例えば特許文献1参照）。                    
また、投球カウント及びアウトカウントを マグネツト（片面着磁）付きの丸板で掲示、得点は手書、掲示板状のものを４脚で支えたものもある。（例えば特許文献２参照）。      得点のみ手書き表示し掲示板を１本脚で支えたものもある。（例えば特許文献３参照）。枠状のスタンドに吊り下げ着脱可能な得点手書き用のシート（試合毎取替え）を用いたものもある。（例えば特許文献４参照）。                                          
また、予め印字された得点掲示シートを、ハードル状の枠へ吊り下げるものもある。
（例えば特許文献５参照）。
また予め印字された得点数字カードを、得点掲示板枠へ挿入し掲示板を椅子状のスタンドで保持したものもある。（特許文献６参照）。
【特許文献１】実開平０８−０００６０９号公報
【特許文献２】実全昭５４−０２２８７３号公報
【特許文献３】実全昭５４−１３２３７４号公報
【特許文献４】特開２００２−２１００５９号公報
【特許文献５】実開平０５−０７４５７５号公報
【特許文献６】実全昭５７−１７６２７６号公報
【発明の開示】
【発明が解決しようとする課題】
【０００５】
スコアの掲示を最も必要とする少年野球や少年ソフトボールの監督やコーチ達の意見を聞いたところ、下記のような理由により、不便を感じつつも既存のものを利用していないことが判明した。  
ほとんどの少年野球やソフトボールチームの場合、少年たちが通学する小学校をフランチャイズとして利用しており、通常、共用の用具類（ベース、バット、ボール、ヘルメットとそのケース類）をその学校の校庭などに設置している狭いスペースの用具保管庫（学校保有）または独自の保管庫へ収納しているために、嵩張るスコアボードは収納できない。
対外試合（遠征など）でスコアボードを携行する場合、重くて嵩張るために、車両での運搬が困難であり、また分解、組立の手間がかかる。
競技中、強い打球や、強風でスコアボードが壊れたり、倒れたり、吹き飛んだりして危険である。
スコアボードへ得点などをマーカーなどで記入するので、字が小さくてあまり役に立たない。
電光掲示のスコアボートは、高価であり、また電源に困ることがある。
数字などを予めプレートへ印字されているものは見易く便利であるが、プレートの枚数が多くて困る。また同様のプレートを吊り下げ回転するものもあるが風圧に弱く、揺れるために見えにくい。    
【課題を解決するための手段】
【０００６】
本発明は上記の課題を解決するためになされたもので、野球およびソフトボール競技に使用するスコア掲示盤と、これを保持するスタンドからなり、スコア掲示盤表面には競技経過回数、攻撃の表、裏、投球カウントのストライクとボール、アウトカウント、対戦する両チームの競技中の合計得点が、予め数字を書き込まれた両面着磁のマグネットを装着可能としたプレートが設けられた野球およびソフトボール競技用スコア掲示盤。          
【０００７】
前記の野球およびソフトボール競技用スコア掲示盤において、スコア掲示盤裏面には    競技両チームの毎回の得点を手書きで記録するスコア記録表を設けても良い。
【０００８】
前記の野球およびソフトボール競技用スコア掲示盤において、前記スコア掲示盤を保持するスタンドは、先部にネジ穴を有し、基部がスタンド基盤上部に固定されたパイプと、前記スタンド基盤下部にはキャスターが固着され、前記スタンド基盤には複数のペグ打込穴が設けられており、前記スコア掲示盤の底部に取り付けられた補強部材に設けた貫通穴を介してボルトにより前記スタンドのパイプ先部のネジ穴に着脱自在に取り付ける野球およびソフトボール競技用スコア掲示盤としても良い。
【発明の効果】
【０００９】
前記の通り、本発明を既存のものと比較すれば、嵩張らず、小型、軽量となったために、子供たちでも持ち運びが容易になったこと、通常は分解せずそのまま使用でき、遠征競技などで小型車両で運ぶ場合でも、工具を使用せず簡単に２っに分解され、狭いスペースにも収納可能で、また組立ても簡単である
【００１０】
スコア掲示盤表面へ、両面着磁のマグネットのプレートを使用することにより、プレートの両面が使用でき、プレート枚数も半減し、プレート交換の手間の約半分が、プレートを反転するのみの操作となり、誰でも簡単に扱えるので、低学年の控えの選手や応援の父兄に依頼すれば、競技への参加意識、連帯感、責任感、迅速性、確実性も向上する。
【００１１】
両面着磁のマグネットを使用することにより片面着磁と比較してプレートがより密着するために、強打、強風などで脱落することを防止できる。
【００１２】
殆んどスコアボードを使用していなかった従来と比較して、選手もスコアを正確に認識できるために、監督やコーチの指示を理論的に理解できるようになり、技術的にも向上する。また応援の父兄や、その他の観衆もチーム名や、得点経過、投球カウント、アウトカウントを知ることにより、応援も盛り上がり、球技の醍醐味も満喫できる。
【発明を実施するための最良の形態】
【００１３】
以下、本発明の実施の形態を図１〜図３に基づいて説明する。
図１は、スコア掲示盤表面で、磁気吸着力のある金属板に両面着磁可能な数字等プレートが所定の部位へ着脱できる。
各部位は下記の通り色別されている。
４A.    競技経過回数掲示部位（黄色）
５A.    攻撃、表、裏掲示部位（黄色）
６A.    投球カウント・ストライク掲示部位（黒色）
７A.    投球カウント・ボール掲示部位（黄色）
８A.    アウトカウント掲示部位（白色）
９A.    対戦チーム名掲示部位（白色）
10A.    合計得点２桁台得点掲示部位（黄色）
11A.    合計得点１桁台得点掲示部位（黄色）
12      スコア掲示盤所有チーム名またはスポンサー広告部位
上記、各部位へ着脱できる両面着磁可能なマグネット使用のプレートを下記の通り設けている。
４B.   競技経過回数掲示  正方形のプレート  １〜９の数字を両面印字    ５枚
５B.   攻撃・表・裏掲示  正方形のプレート  表・裏  両面印字          １枚
６B.   投球カウント掲示  ストライク  黄色の円形プレート（裏面・黒色）２枚  
７B.   投球カウント掲示  ボール      緑色の円形プレート（裏面・黄色）３枚
８B.   アウトカウント掲示            赤色の円形プレート（裏面・白色）２枚
９B.   対戦チーム名掲示  白色の長方形プレート  ４〜５枚（対戦の都度手書き）
10B.   合計得点掲示  ２桁台得点用  黄色の長方形プレート  １〜４の数字両面印字２枚  ２組            
11B.   合計得点掲示  １桁台得点用  黄色の長方形プレート  ０〜９の数字両面印字
５枚  ２組
【００１４】
前記、数字プレートは両面印字（例  ０の裏面は１）のため操作の手間が軽減できる。
また、対戦チーム名プレートは、自チームの他、常時対戦するチームのプレートも予め作成しておけば更に便利である。
また、総てのプレートに両面着磁のマグネットを使用することにより、スコア掲示盤への着脱が容易であり、また風圧などによりプレートが脱落することも防止できる。
【００１５】
図２は、スコア掲示盤裏面２を示し、軽量化のために軽金属板を使用し、その上部へ
対戦両チームの毎回の得点経過を手書きで記入できるスコア記録表１３を設けることができる。これはスコア掲示盤１を操作する者やチーム関係者のための、スコア掲示盤表面の合計得点掲示の補助的な役割をするものである。
【００１６】
スコア掲示盤の表面１と裏面２に一定の間隔を設け、スコア掲示盤側壁３によりボックス状の構造とし、そのスコア掲示盤裏面２の下部を開口し、そこに錠前１５付の扉１４
を取り付け、前記プレートなどの収納スペースを設けることもできる。
【００１７】
スコア掲示盤天井部分へ運搬用の把手２７を設けると便利である。。
【００１８】
図３は、スコア掲示盤１００を保持するためのスタンドを示し、スコア掲示盤１００への着脱、伸縮可能な金属製パイプ１６のスタンド部分と、そのパイプの先部にネジ穴１７を設け、スコア掲示盤１００の底部に取り付けられた補強部材18に設けた貫通穴１９を介してボルト２０によりパイプ先部をネジ穴１７へ着脱自在に取り付ける。
【００１９】
スタンド部分のパイプ１６の下部にネジ穴２１を設け、パイプ１６を保持するための必要最小限の面積と重量を有する正方形の金属板のスタンド基盤２２と、それに設けた貫通穴２３を介してボルト２４によりパイプ１６下部とスタンド基盤２２を着脱自在に取り付ける。
【００２０】
前記スタンド基盤２２の下部へ、運搬の便を考慮し正方形の四隅にキャスター２５を設け、更にスコア掲示盤１００の転倒防止用のペグ（打込棒）の打込穴２６を２ケ所設ける。（ペグ２本、ハンマー１本  附属）
【００２１】
プレート４B.５B.６B.７B.８B.９B.10B.11B.は、使い易いようにプラスチックなどの透明ケースへ収納し、スコア掲示盤裏面２のロッカーボックスへ収納する。またプレート４B.5B.6B.7B.8B.9B.10B.11B.の紛失防止のため施錠１５ができるようにする。
【００２２】
スコア掲示盤１００は、可能な限り小型、軽量化しなければ本発明の目的が達せられないが、競技の当事者や観衆へ見えなければ無意味であるので、プレートの数字やマークなどは通常の視力があれば、外野からでも読み取れる最大限の大きさと色彩に工夫し、またスコア掲示盤１００やスタンド１６も、離れたところから、その存在が識別できるようにカラフルな色彩とする。
【００２３】
スコア掲示盤１００やスタンド１６の色は、野球ルールなどにより定められているもの以外は、他の異なった色を使用できる。またスコア掲示盤１００の両面１．２、へ野球やソフトボールをイメージできるイラストなどを入れても面白い。
【図面の簡単な説明】
【００２４】
【図１】本発明の実施形態を示すスコア掲示盤表面を斜めから見た外観図である。
【図２】同、スコア掲示盤裏面を斜めから見た外観図である。
【図３】同、スコア掲示盤スタンドの立体図とスタンド基盤部分の平面図である。
【符号の説明】
【００２５】
スコア掲示盤表面
２．  スコア掲示盤裏面
３．  スコア掲示盤側壁
４A  .競技経過回数掲示部位（黄色）
４B.  競技経過回数掲示プレート
５A.  攻撃・表・裏掲示部位（黄色）
５B.  攻撃・表・裏掲示プレート
６A.  投球カウント・ストライク掲示部位（黒色）
６B.  投球カウント・ストライク掲示プレート
７A  .投球カウント・ボール掲示部位（黄色）
７B.  投球カウント・ボール掲示プレート
８A.  アウトカウント掲示部位（白色）
８B.  アウトカウント掲示プレート
９A.  対戦チーム名掲示部位（白色）
９B.  対戦チーム名掲示プレート
10A.  合計得点２桁台得点掲示部位（黄色）
10B.  合計得点２桁台得点掲示プレート
11A.  合計得点１桁台得点掲示部位（黄色）
11B.  合計得点１桁台得点掲示プレート
12.  スコア掲示盤所有チーム名またはスポンサー広告部位
13.  スコア記録表
14.  扉（ロッカーボックス）
15.  錠前（ロッカーボックス）
16.  パイプ（スタンド）
17.  ネジ穴（パイプ先部）
18.  補強部材（スコア掲示盤底部）
19  .貫通穴（補強部材）
20  .ボルト（パイプ上部）
21.  ネジ穴（パイプ下部）
22.  スタンド基盤
23.  貫通穴（スタンド基盤）
24.  ボルト（スタンド基盤）
25.  キャスター
26.  ペグ（打込棒）打込穴
27.  把手
100.スコア掲示盤
【図１】
2005137624.tif 000003
【図２】
2005137624.tif 000004
【図３】
2005137624.tif 000005